(57)【要約】【課題】カメラで撮像した撮像データを基にその人物に適合した印面情報を提示し、お気に入りのスタンプを簡単に作成できるようにした印面加工機を提供する。【解決手段】印面作成用ユニットをセットし、ディスプレイ３上に順番に表示される印面作成情報を選択的に入力して印面を形成するようにした印面加工機であって、印面加工機１の利用者を撮像する顔撮像手段４と、顔撮像手段４の撮像データを基に利用者の性別・年齢・特徴を特定する認識手段５と、認識手段５により特定した利用者に対応する印面作成情報を前記ディスプレイ３上に表示するデータ出力手段６を備えているものとした。利用者の性別・年齢・特徴に対応して、印面作成情報の文字サイズや種類、音声案内の読み上げ速度を最適なものに自動調整する調整手段７を設けることもできる。【選択図】図１
2019171637.tif 000002
【特許請求の範囲】
【請求項１】
印面作成用ユニットをセットし、ディスプレイ上に順番に表示される印面作成情報を選択的に入力して印面を形成するようにした印面加工機であって、
印面加工機の利用者を撮像する顔撮像手段と、
顔撮像手段の撮像データを基に利用者の性別・年齢・特徴を特定する認識手段と、
認識手段により特定した利用者に対応する印面作成情報を前記ディスプレイ上に表示するデータ出力手段を備えていることを特徴とする印面加工機。
【請求項２】
印面作成情報は、利用者の性別・年齢・特徴に対応した一群の印判フレームデザイン、フォントデザイン、イラストデザイン、背景デザインの１種又は２種以上を含むものである請求項１に記載の印面加工機。
【請求項３】
印面作成情報の選択時に、操作方法、注意事項をディスプレイ上に利用者に表示する文字表示機能及び／又は前記操作方法、注意事項を音声案内する音声案内機能を備えており、利用者の性別・年齢・特徴に対応して、前記操作方法、注意事項の文字サイズや種類、表記形式、音声案内の読み上げ速度や音量、音声の周波数を最適なものに自動調整する調整手段を備えている請求項１または２に記載の印面加工機。
【請求項４】
顔撮像手段で利用者を撮像する時に、注意事項をディスプレイ上に利用者に表示する文字表示機能及び／又は前記注意事項を音声案内する音声案内機能を備えており、利用者の性別・年齢・特徴に対応して、前記注意事項の文字サイズや種類、表記形式、音声案内の読み上げ速度や音量、音声の周波数を最適なものに自動調整する調整手段を備えている請求項１〜３のいずれかに記載の印面加工機。
【発明の詳細な説明】
【技術分野】
【０００１】
本発明は、カメラで撮像した撮像データを基にその人物に適合した印面情報を提示し、お気に入りのスタンプを簡単に作成できるようにした印面加工機に関するものである。
【背景技術】
【０００２】
従来から、例えば特許文献１に示されるように、印面作成用ユニットをセットし、ディスプレイ上に順番に表示される印面作成情報を選択入力してお気に入りの印面を形成するようにした印面加工機は公知である。
【０００３】
しかしながら、従来の印面加工機の場合、フレームデザイン、フォントデザイン、キャラクターデザイン等の印面作成情報は多数のデザインが何の関連性もなく順番に表示される様式であるため、多数のデザインの中から自分好みの一点に絞るのは難しい作業であり、かつ長時間要するものであった。また、ディスプレイ上に表示される説明文や音声案内も一律であり、子供や年配者には字が読めない場合や聞き取り難い場合があるとの指摘もあった。
【０００４】
一方、特許文献２に示されるように、自動販売機の利用者を撮像するカメラを設けて、カメラ情報から利用者に対応した各種の情報を表示するようにした自動販売機や、特許文献３に示されるように、複写機にカメラを設けてカメラ情報から利用者に対応した広告等を表示するようにした複写機が提案されている。ただし、いずれもカメラを用いて利用者に対応した広告情報等を提供する点を開示するに過ぎないものであり、印面加工技術とは全く技術思想を異にするものである。
これとは別に本件出願人は、利用者の撮像データを利用して利用者独自のスタンプを簡単に作成できるシステムの構築を目指し、新たな印面加工機の開発を進めていた。
【先行技術文献】
【特許文献】
【０００５】
【特許文献１】特開２０１６−８７８４０号公報
【特許文献２】特許第３７８７８９２号公報
【特許文献３】特開２００２−１４０６０３号公報
【発明の概要】
【発明が解決しようとする課題】
【０００６】
本発明は上記のような従来の問題点を解決して、カメラで撮像した撮像データを基にその人物に適合した印面情報を提示し、お気に入りのスタンプを短時間で簡単に作成できるようにした印面加工機を提供することを目的とするものである。
【課題を解決するための手段】
【０００７】
上記課題を解決するためになされた本発明の印面加工機は、印面作成用ユニットをセットし、ディスプレイ上に順番に表示される印面作成情報を選択的に入力して印面を形成するようにした印面加工機であって、
印面加工機の利用者を撮像する顔撮像手段と、
顔撮像手段の撮像データを基に利用者の性別・年齢・特徴を特定する認識手段と、
認識手段により特定した利用者に対応する印面作成情報を前記ディスプレイ上に表示するデータ出力手段を備えていることを特徴とするものであり、これを請求項１に係る発明とする。
【０００８】
好ましい実施形態によれば、印面作成情報は、利用者の性別・年齢・特徴に対応した一群の印判フレームデザイン、フォントデザイン、イラストデザイン、背景デザインの１種又は２種以上を含むものが好ましく、これを請求項２に係る発明とする。
【０００９】
また、その他の好ましい実施形態によれば、印面作成情報の選択時に、操作方法、注意事項をディスプレイ上に利用者に表示する文字表示機能及び／又は前記操作方法、注意事項を音声案内する音声案内機能を備えており、利用者の性別・年齢・特徴に対応して、前記操作方法、注意事項の文字サイズや種類、表記形式、音声案内の読み上げ速度や音量、音声の周波数を最適なものに自動調整する調整手段を備えているものが好ましく、これを請求項３に係る発明とする。
【００１０】
また、その他の好ましい実施形態によれば、顔撮像手段で利用者を撮像する時に、注意事項をディスプレイ上に利用者に表示する文字表示機能及び／又は前記注意事項を音声案内する音声案内機能を備えており、利用者の性別・年齢・特徴に対応して、前記注意事項の文字サイズや種類、表記形式、音声案内の読み上げ速度や音量、音声の周波数を最適なものに自動調整する調整手段を備えているものが好ましく、これを請求項４に係る発明とする。
【発明の効果】
【００１１】
請求項１に係る発明では、印面作成用ユニットをセットし、ディスプレイ上に順番に表示される印面作成情報を選択的に入力して印面を形成するようにした印面加工機であって、印面加工機の利用者を撮像する顔撮像手段と、顔撮像手段の撮像データを基に利用者の性別・年齢・特徴を特定する認識手段と、認識手段により特定した利用者に対応する印面作成情報を前記ディスプレイ上に表示するデータ出力手段を備えているものとしたので、利用者は自分用に絞り込んで提供された印面作成情報の中から好みのアイテム等を選択してスムーズかつ短時間でお気に入りのスタンプを作成することができる。
【００１２】
また、請求項２に係る発明では、印面作成情報は、利用者の性別・年齢・特徴に対応した一群の印判フレームデザイン、フォントデザイン、イラストデザイン、背景デザインの１種又は２種以上を含むものとしたので、フレームデザインやフォントデザイン等をお気に入りのものとすることができ、また余分な情報がないため短時間で選択することができる。
【００１３】
また、請求項３に係る発明では、印面作成情報の選択時に、操作方法、注意事項をディスプレイ上に利用者に表示する文字表示機能及び／又は前記操作方法、注意事項を音声案内する音声案内機能を備えており、利用者の性別・年齢・特徴に対応して、前記操作方法、注意事項の文字サイズや種類、表記形式、音声案内の読み上げ速度や音量、音声の周波数を最適なものに自動調整する調整手段を備えているものとしたので、例えば小学生であれば難しい言葉や漢字のない操作説明文で案内され、年配者であれば大きな文字やゆっくりとした操作説明文で案内されることとなり、操作手順の間違えをなくしてスムーズにスタンプの作成を行えることとなる。
【００１４】
また、請求項４に係る発明では、顔撮像手段で利用者を撮像する時に、注意事項をディスプレイ上に利用者に表示する文字表示機能及び／又は前記注意事項を音声案内する音声案内機能を備えており、利用者の性別・年齢・特徴に対応して、前記注意事項の文字サイズや種類、表記形式、音声案内の読み上げ速度や音量、音声の周波数を最適なものに自動調整する調整手段を備えているものとしたので、例えば小学生であれば難しい言葉や漢字のない操作説明文で案内され、年配者であれば大きな文字やゆっくりとした操作説明文で案内されることとなり、撮像手順の間違えをなくしてスムーズに撮像できることとなる。
【図面の簡単な説明】
【００１５】
【図１】本発明の実施の形態を示す概略斜視図である。
【図２】本発明の処理工程を示すフロー図である。
【発明を実施するための形態】
【００１６】
以下に、図面を参照しつつ本発明の好ましい実施の形態を示す。
図１は、本発明を適用した印面加工機の一例を示すものであり、図において、１は印面加工機、２は印面作成用ユニットをセットするための受入トレイ、３はタッチパネル式のディスプレイである。また、図２は印面加工機１内における処理工程を示すフロー図である。この印面加工機によれば、印面作成用ユニット（図示せず）を受入トレイ２にセットし、ディスプレイ３上に順番に表示される印面作成情報を選択的に入力してお気に入りの印面を形成することができる。
【００１７】
印面加工機は、この装置の利用者の顔を撮像する顔撮像手段４を備えている。顔撮像手段４としては、顔を撮像できる手段であれば特に限定せず使用することができ、実施例ではＣＣＤカメラ（例えば、オムロン社製：ＨＶＣ−Ｐ２）を用いる。装着位置は利用者の顔を撮像可能であればどこでもよい。
【００１８】
前記の顔撮像手段４で得た撮像データを基にして、利用者の性別・年齢・特徴等を特定する認識手段５を備えている。性別の特定は、男か女かを特定する。年齢の特定は、例えば、幼児、小中学生、若者、壮年、老人等の適当な範囲で振り分けて特定してもよいし、１０代、２０代、３０代の様に各年代で特定してもよい。特徴の特定は、例えば、芸術家タイプ、スポーツマンタイプ、サラリーマン層、主婦層、学生層等の職種別や活動範囲別、好きな食べ物別等、様々なジャンルで任意に区切って特定することができる。
【００１９】
本実施例で使用する前記ＣＣＤカメラ（オムロン社製：ＨＶＣ−Ｐ２）は、前記顔撮像手段４と、前記認識手段５の両方を兼ね備えたものであるが、本発明ではこれに限定されず、前記顔撮像手段４で得た撮像データを、別の認識手段５により利用者の性別・年齢・特徴等を特定する事も可能である。前記認識手段５として、Ａｍａｚｏｎ．ｃｏｍ，ｉｎｃが提供する「Ａｍａｚｏｎ  Ｒｅｋｏｇｎｉｔｉｏｎ」、マイクロソフト社が提供する「Ｍｉｃｒｏｓｏｆｔ  Ｆａｃｅ  ＡＰＩ」等のＷＥＢサービスが適宜使用可能である。
【００２０】
認識手段５で得られた特定の情報に対応して、一群の印判フレームデザインや、フォントデザインや、キャラクターデザインや、背景デザインの１種又は２種以上を含むものが紐付されて、利用者に対応した印面作成情報が自動的に作成される。即ち、利用者の性別、年齢、特徴に応じたフレームデザイン、フォントデザイン、キャラクターデザイン、背景デザイン等がある程度絞られた状態で情報として提供されることとなる。
この結果、従来のように蓄積してある全部のデザインを見る必用はなく、利用者に対応しているとして選定されたデザインのみを見ればよいので、デザインの選択作業を短時間で要領よく行えることとなる。
【００２１】
前記の印面作成情報は、ネットワークで繋がっているデータベース１０の中に蓄積された情報を基に提供されるものである。このデータベース中の情報は、メーカーが予め市場調査等に基づき独自の基準により構築したものが基本となっている。
しかし、印面加工機の利用者の使用実績から印面作成情報をデータベースへ吸い上げて、このログデータから印面作成情報を統計的に決定するようにすることもできる。この場合は、利用者の最新のデータを加味するため、世間の流行や世代別の趣向に対応した最新の印面作成情報を提供できることとなり、より好ましい。
【００２２】
以上のようにして作成された利用者に対応した印面作成情報は、データ出力手段６より出力されて前記ディスプレイ３上に表示されることとなる。従って、利用者はディスプレイ３の表示に従ってフレームデザインの決定、フォントデザインの決定、キャラクターデザインの決定、背景デザインの決定等をディスプレイ３上のタッチパネルを操作して簡単に行うことができる。
【００２３】
また、本発明の印面加工機は、印面作成情報の選択時や、前記顔撮像手段で利用者を撮像する時に、操作方法、注意事項等をディスプレイ上に利用者に表示する文字表示機能及び前記操作方法、注意事項等を音声案内する音声案内機能を備えており、前記操作方法、注意事項等の文字サイズやフォント等の種類、漢字の平仮名変換や、ふりがなを付ける等の表記形式を利用者の年齢に合わせて選択・変更できる機能を有している。例えば、小さい子供であれば平仮名の表記を選択したり、高齢者であれば大きいサイズの文字を選択したりできるものである。また、操作方法に関する音声ガイドも高齢者であれば大きい音でゆっくりと説明したり、音声の周波数を高くするように選択できる。
更に本発明では、顔撮像手段４で得た撮像データを基にして、利用者の性別・年齢・特徴等を特定する認識手段５を備えており、この情報を基にして利用者の性別・年齢・特徴に対応して、印面作成情報の選択時や、前記顔撮像手段で利用者を撮像する時に、操作方法、注意事項等の文字サイズや種類、漢字の平仮名変換や、ふりがなを付ける等の表記形式、音声案内の読み上げ速度や音量、音声の周波数を最適なものに自動調整する調整手段７を備えたものとしたので、最適な条件下においてストレスなく印面の加工処理が行えることとなる。
【符号の説明】
【００２４】
１  印面加工機
２  受入トレイ
３  ディスプレイ
４  顔撮像手段
５  認識手段
６  データ出力手段
７  調整手段
１０  データベース
【図１】
2019171637.tif 000003
【図２】
2019171637.tif 000004